(57)【要約】【課題】立体感のある作品を全ての水平方向から違和感なく鑑賞できるようにする。【解決手段】第１の透明パネル１１の第１の平面部１１ａと第２の透明パネル２１の第２の平面部２１ａとが略９０度の交差角度を存して第１の透明パネル１１と第２の透明パネル２１とが交差されて接合されている。第１の平面部１１ａと第２の平面部２１ａとを２面とする空間４１ａ〜４１ｄを全ての水平方向に形成でき、その空間４１ａ〜４１ｄに立体感のある作品を配置することにより、立体感のある作品を全ての水平方向から適切に鑑賞し得るように３次元的に配置できる。【選択図】図１
0003126581.tif 000002
【実用新案登録請求の範囲】
【請求項１】
所定の厚さを有する平板状に成形されていると共に下端部側から中心部側に向かって上下方向に切欠かれて一の嵌合部が形成されている一の透明平板部材と、
所定の厚さを有する平板状に成形されていると共に上端部側から中心部側に向かって上下方向に切欠かれて他の嵌合部が形成されている他の透明平板部材とを備え、
前記一の透明平板部材の一部が前記他の嵌合部に嵌合されると共に前記他の透明平板部材の一部が前記一の嵌合部に嵌合され、前記一の透明平板部材の一の平面部と前記他の透明平板部材の他の平面部とが所定角度の交差角度を存して前記一の透明平板部材と前記他の透明平板部材とが交差されて接合されてなることを特徴とする３次元フレーム。
【請求項２】
請求項１に記載した３次元フレームにおいて、
前記一の嵌合部が前記他の透明平板部材の厚さと同等の幅に切欠かれて形成されていると共に前記他の嵌合部が前記一透明平板部材の厚さと同等の幅に切欠かれて形成されていることを特徴とする３次元フレーム。
【請求項３】
請求項１または２に記載した３次元フレームにおいて、
前記一の透明平板部材の下部が矩形状に切欠かれて一の空間部が形成されていると共に前記他の透明平板部材の下部が矩形状に切欠かれて他の空間部が形成され、前記一の透明平板部材と前記他の透明平板部材とが接合されている状態で前記一の空間部と前記他の空間部とに跨って少なくとも上方に向けて発光する光源が配置可能に構成されていることを特徴とする３次元フレーム。
【考案の詳細な説明】
【技術分野】
【０００１】
本考案は、立体感のある作品を３次元的に配置するための３次元フレームに関する。
【背景技術】
【０００２】
絵画を例えば机上で鑑賞し得るように、２枚の透明平板部材が所定間隔を存して平行に保持され、それら２枚の透明平板部材の間に絵画が挿入される構成がある（例えば特許文献１参照）。
【特許文献１】実用新案登録第３０８２９４５号公報
【考案の開示】
【考案が解決しようとする課題】
【０００３】
ところで、絵画は正面の一方向から鑑賞し得るように配置されれば良いものであるが、その一方で、立体感のある作品（例えばオブジェなど）は正面のみならず側面や背面なども含めて全ての水平方向から鑑賞し得るように配置されるのが望ましい。しかしながら、上記した特許文献１に記載したように２枚の透明平板部材の間に絵画が挿入される構成では、２枚の透明平板部材の間に立体感のある作品が挿入された場合、２枚の透明平板部材の面部に正対した方向からは立体感のある作品を違和感なく鑑賞することができるが、２枚の透明平板部材の面部に正対した方向以外の方向からは違和感があり、違和感をもって立体感のある作品を鑑賞せざるを得ないという問題がある。
【０００４】
本考案は、上記した事情に鑑みてなされたものであり、その目的は、正面のみならず側面や背面なども含めて全ての水平方向から鑑賞し得るように立体感のある作品を３次元的に配置することができ、立体感のある作品を全ての水平方向から違和感なく鑑賞することができる３次元フレームを提供することにある。
【課題を解決するための手段】
【０００５】
請求項１に記載した考案は、所定の厚さを有する平板状に成形されて下端部側から中心部側に向かって上下方向に切欠かれて一の嵌合部が形成されている一の透明平板部材と、所定の厚さを有する平板状に成形されて上端部側から中心部側に向かって上下方向に切欠かれて他の嵌合部が形成されている他の透明平板部材とを備え、前記一の透明平板部材の一部が前記他の嵌合部に嵌合されると共に前記他の透明平板部材の一部が前記一の嵌合部に嵌合され、前記一の透明平板部材の一の平面部と前記他の透明平板部材の他の平面部とが所定間隔を存して前記一の透明平板部材と前記他の透明平板部材とが交差されて接合されてなるところに特徴を有する。
【０００６】
また、請求項２に記載した考案は、前記一の嵌合部が前記他の透明平板部材の厚さと同等の幅に切欠かれて形成されていると共に前記他の嵌合部が前記一透明平板部材の厚さと同等の幅に切欠かれて形成されているところに特徴を有する。
【０００７】
さらに、請求項３に記載した考案は、前記一の透明平板部材の下部が矩形状に切欠かれて一の空間部が形成されていると共に前記他の透明平板部材の下部が矩形状に切欠かれて他の空間部が形成され、前記一の透明平板部材と前記他の透明平板部材とが接合されている状態で前記一の空間部と前記他の空間部とに跨って少なくとも上方に向けて発光する光源が配置可能に構成されているところに特徴を有する。
【考案の効果】
【０００８】
本考案によれば、一の透明平板部材の一の平面部と他の透明平板部材の他の平面部とが所定角度の交差角度を存して一の透明平板部材と他の透明平板部材とが交差されて接合されているので、一の透明平板部材の一の平面部と他の透明平板部材の他の平面部とを２面とする空間を全ての水平方向に形成することができ、その空間に立体感のある作品を配置することにより、立体感のある作品を正面のみならず側面や背面なども含めて全ての水平方向から鑑賞し得るように３次元的に配置することができ、立体感のある作品を全ての水平方向から違和感なく鑑賞することができる。
【考案を実施するための最良の形態】
【０００９】
以下、本考案の一実施形態について、図面を参照して説明する。図２は、３次元フレーム１を構成する第１の透明パネル１１（本考案でいう一の透明平板部材）及び第２の透明パネル２１（本考案でいう他の透明平板部材）を外観斜視図により示している。第１の透明パネル１１は、例えば無色透明なアクリル板が略矩形状に成形され、その下端部側から中心部側に向かって上下方向に切欠かれて第１の嵌合部１２（本考案でいう一の嵌合部）が溝穴状に形成されていると共に、その下部が矩形状に切欠かれて第１の空間部１３（本考案でいう一の空間部）が形成されて構成されている。また、第１の透明パネル１１は、その上端部が３個の緩やかなカーブを形成するように曲面状に加工されている。また、第１の嵌合部１２は、その幅（図２中「Ｗ１」参照）が第２の透明パネル２１の厚さ（図２中「ｄ２」参照）と同等に形成されている。
【００１０】
第２の透明パネル２１は、上記した第１の透明平板部材と同様に例えば無色透明なアクリル板が略矩形状に成形され、その上端部側から中心部側に向かって上下方向に切欠かれて第２の嵌合部２２（本考案でいう他の嵌合部）が形成されていると共に、その下部が矩形状に切欠かれて第２の空間部２３（本考案でいう他の空間部）が形成されて構成されている。また、第２の透明パネル２１も、その上端部が３個の緩やかなカーブを形成するように曲面状に加工されている。また、第２の嵌合部２２は、その幅（図２中「ｗ２」参照）が第１の透明パネル１１の厚さ（図２中「ｄ１」参照）と同等に形成されている。
【００１１】
図３は、発光装置３１（本考案でいう光源）を外観斜視図により示している。発光装置３１は、例えばアルミ製の筐体が円錐の頂部が切除された形状をなし、その上面部に形成されている凹部３２に３個のＬＥＤ３３〜３５が収納されていると共に、その側面の所定部位に押圧スイッチ３６が配置されて構成されている。３個のＬＥＤ３３〜３５は、押圧スイッチ３６が操作されると、筐体の内部に装着されている電池を動作電源とし、筐体の内部に配置されているマイコンに記憶されているプログラムにしたがって規則的に点灯及び消灯を繰返すように構成されている。
【００１２】
上記した構成では、図１に示すように、第１の透明パネル１１の一部が第２の透明パネル２１に形成されている第２の嵌合部２２に嵌合されると共に第２の透明パネル２１の一部が第１の透明パネル１１に形成されている第１の嵌合部１２に嵌合され、第１の透明パネル１１の第１の平面部１１ａ（本考案でいう一の平面部）と第２の透明パネル２１の第２の平面部２１ａ（本考案でいう他の平面部）とが略９０度の交差角度を存して第１の透明パネル１１と第２の透明パネル２１とが交差されて接合されると、第１の透明パネル１１の第１の平面部１１ａと第２の透明パネル２１の第２の平面部２１ａとを２面とする空間４１ａ〜４１ｄが全ての水平方向（３６０度）に形成される。また、このとき、第１の空間部１３と第２の空間部２３とにより第１の透明パネル１１と第２の透明パネル２１との交差部分の下方で発光装置３１を配置可能な空間４２が形成される。
【００１３】
したがって、図４に示すように、空間４１ａ〜４１ｄに立体感のある作品を配置することにより、立体感のある作品を全ての水平方向から適切に鑑賞し得るように３次元的に配置することができる。また、図５に示すように、空間４２に発光装置３１を配置することにより、空間４１ａ〜４１ｄに配置されている立体感のある作品に下方から光を照射することができる。尚、図４及び図５では、立体感のある作品として例えば粘土製作された魚類の作品５１〜５４が第１の透明パネル１１及び第２の透明パネル２１に接着されている例を示している。
【００１４】
以上に説明したように本実施形態によれば、第１の透明パネル１１の第１の平面部１１ａと第２の透明パネル２１の第２の平面部２１ａとが略９０度の交差角度を存して第１の透明パネル１１と第２の透明パネル２１とが交差されて接合されているので、第１の透明パネル１１の第１の平面部１１ａと第２の透明パネル２１の第２の平面部２１ａとを２面とする空間４１ａ〜４１ｄを全ての水平方向に形成することができ、その空間４１ａ〜４１ｄに立体感のある作品を配置することにより、立体感のある作品を正面のみならず側面や背面なども含めて全ての水平方向から鑑賞し得るように３次元的に配置することができ、立体感のある作品を全ての水平方向から違和感なく鑑賞することができる。
【００１５】
また、第１の嵌合部１２が第２の透明パネル２１の厚さと同等の幅に切欠かれて形成されていると共に第２の嵌合部２２が第１の透明パネル１１の厚さと同等の幅に切欠かれて形成されているので、単に第１の透明パネル１１を第２の嵌合部２２に嵌合すると共に第２の透明パネル２１を第１の嵌合部１２に嵌合することにより、何ら接着剤などを使用することなく、第１の透明パネル１１と第２の透明パネル２１との間で接合強度を確保することができる。
【００１６】
さらに、第１の透明パネル１１と第２の透明パネル２１とが接合されている状態で第１の空間部１３と第２の空間部２３とに跨った空間４２に発光装置３１が配置可能に構成されているので、発光装置３１を空間４２に配置することにより、空間４１ａ〜４１ｄに配置されている立体感のある作品に下方から光を照射することができ、周囲が暗い状況で空間演出の効果を奏することができる。
【００１７】
本考案は、上記した実施形態にのみ限定されるものではなく、以下のように変形または拡張することができる。
２枚の透明パネルが９０度の交差角度を存して接合される構成に限らず、例えば３枚の透明パネルが６０度の交差角度を存して接合されるなど、３枚以上の透明パネルが所定角度の交差角度を存して接合される構成であっても良い。
第１の透明パネル１１及び第２の透明パネル２１は、無色透明のアクリル板を材料とする構成に限らず、有色透明のアクリル板を材料とする構成であっても良く、また、適度な強度を保つことができる厚さであれば良い。
第１の透明パネル１１の平面部１１ａ及び第２の透明パネル２１の平面部２１ａに彫刻や描画が施されても良い。
【図面の簡単な説明】
【００１８】
【図１】本考案の一実施形態を示す外観斜視図
【図２】第１の透明パネル及び第２の透明パネルの外観斜視図
【図３】発光装置の外観斜視図
【図４】立体感のある作品が空間に配置されている態様を示す外観斜視図
【図５】発光装置が配置されている態様を示す外観斜視図
【符号の説明】
【００１９】
図面中、１は３次元フレーム、１１は第１の透明パネル（一の透明平板部材）、１１ａは第１の平面部（一の平面部）、１２は第１の嵌合部（一の嵌合部）、１３は第１の空間部（一の空間部）、２１は第２の透明パネル（他の透明平板部材）、２１ａは第２の平面部（他の平面部）、２２は第２の嵌合部（他の嵌合部）、２３は第２の空間部（他の空間部）、３１は発光装置（光源）である。
【図１】
0003126581.tif 000003
【図２】
0003126581.tif 000004
【図３】
0003126581.tif 000005
【図４】
0003126581.tif 000006
【図５】
0003126581.tif 000007